(57)【要約】【課題】液晶表示装置に搭載した場合に、拡散シート等の光学シートが斜視にてみえないようにしたバックライトユニット等を提供する。【解決手段】バックライトユニット２１に含まれる拡散シート２５において、蛍光管２２からの光を受ける面、すなわち受光面２５ｓの端が黒色ＢＫである。【選択図】図１
2009094018.tif 000002
【特許請求の範囲】
【請求項１】
光を発する光源と、
上記光源からの光を受けるとともに出射させるシートで、少なくともそのシートにお
ける受光面の端を、黒色にしている光学シートと、
上記光学シートの縁を支える第１支持体と、
上記第１支持体とで、光学シートの縁を挟み込む黒色の第２支持体と、
を含むバックライトユニット。
【請求項２】
光を発する光源と、
上記光源からの光を受けるとともに出射させるシートで、そのシートの縁の一部に曲
面を含ませることで、先細った縁になる光学シートと、
上記光学シートの縁を支える第１支持体と、
を含むバックライトユニット。
【請求項３】
光を発する光源と、
上記光源からの光を受けるとともに出射させるシートで、そのシートの縁の一部に曲
面を含ませることで、先細った縁になるとともに、少なくともそのシートにおける受光
面の端を黒色にしている光学シートと、
上記光学シートの縁を支える第１支持体と、
上記第１支持体とで、光学シートの縁を挟み込む黒色の第２支持体と、
を含むバックライトユニット。
【請求項４】
上記光学シートの出射面の端が黒色である請求項１または３に記載のバックライトユニット。
【請求項５】
上記受光面の端から上記出射面の端に至るまでの光学シートの側面が黒色である請求項４に記載のバックライトユニット。
【請求項６】
塗装によって、上記光学シートの黒色の部分が形成される請求項１、３〜５のいずれか１項に記載のバックライトユニット。
【請求項７】
化学処理によって、上記光学シートの黒色の部分が形成される請求項１、３〜５のいずれか１項に記載のバックライトユニット。
【請求項８】
黒色シールが貼られることによって、上記光学シートの黒色の部分が形成される請求項１、３〜５のいずれか１項に記載のバックライトユニット。
【請求項９】
上記光学シートの側面が曲面になることで、光学シートの縁は先細り、
その曲面における曲率中心が、曲面を境に光学シート側に位置する請求項２若しくは３、または、請求項２若しくは３を引用する請求項４〜８のいずれか１項に記載のバックライトユニット。
【請求項１０】
上記光学シートを境に、その光学シートの上記受光面の位置する側を受光側とすると、
上記受光面の端が、上記光学シートの出射面における端の内側に位置することで、上記光学シートにおける曲面の側面が、上記受光側に向いて傾く請求項９に記載のバックライトユニット。
【請求項１１】
上記光学シートを境に、その光学シートの上記出射面の位置する側を出射側とすると、
上記出射面の端が、上記光学シートの受光面における端の内側に位置することで、上記光学シートにおける曲面の側面が、上記出射側に向いて傾く請求項９に記載のバックライトユニット。
【請求項１２】
上記光学シートにおける側面と受光面との繋ぎ目、および、上記光学シートにおける側面と出射面との繋ぎ目、の少なくとも一方が、曲面になることで、光学シートの縁は先細り、
その曲面における曲率中心が、曲面を境に光学シート側に位置する請求項２若しくは３、または、請求項２若しくは３を引用する請求項４〜８のいずれか１項に記載のバックライトユニット。
【請求項１３】
上記第１支持体は、上記光源を収容するバックライトシャーシおよび上記光源を支える光源ホルダの少なくとも一方であり、
上記バックライトシャーシとで、上記光学シートの縁を挟み込む内蔵シャーシが、上記第２支持体である請求項１、３〜８、または請求項３を引用する請求項９〜１２のいずれか１項に記載のバックライトユニット。
【請求項１４】
上記光学シートの縁にて対向している第１縁部分は、上記第１支持体である上記光源を収容するバックライトシャーシにて支えられ、
上記第１縁部分以外の光学シートの第２縁部分は、上記第１支持体である上記光源を支える光源ホルダにて支えられ、
上記バックライトシャーシとで、上記光学シートの縁を挟み込む内蔵シャーシが、上記第２支持体である請求項１、３〜８、または請求項３を引用する請求項９〜１２のいずれか１項に記載のバックライトユニット。
【請求項１５】
請求項１〜１４のいずれか１項に記載のバックライトユニットと、
上記バックライトユニットからの出射光を受光するために、上記光学シートを覆うよ
うに位置する液晶表示パネルと、
を含む液晶表示装置。
【請求項１６】
上記液晶表示パネルの縁には、黒色の遮光マスクパターンが含まれている請求項１５に記載の液晶表示装置。
【発明の詳細な説明】
【技術分野】
【０００１】
本発明は、液晶表示パネルに対して光を出射するバックライトユニット、およびそれを搭載する液晶表示装置に関する。
【背景技術】
【０００２】
通常、液晶表示装置は、バックライトユニットからの光を受けて画像を表示する液晶表示パネルを搭載しており、この液晶表示パネルは縁をベゼルによって覆われる。そのため、ユーザは液晶表示パネルの画面をみると同時に、枠状のベゼルもみることになる。
【０００３】
すると、ベゼルの表面（液晶表示パネルと同時に視認される面）が過剰に大きすぎると、液晶表示パネルがユーザにとってみづらくなるだけでなく、液晶表示装置自体のサイズも大型化する。そこで、最近では、ベゼルの表面の面積を縮小させる狭額縁化が要望され、その要望を達成しようとする液晶表示装置も種々開示されている（特許文献１等）。
【特許文献１】特開２００５−２４１９６４号公報
【発明の開示】
【発明が解決しようとする課題】
【０００４】
しかしながら、狭額縁化にともなって、あらたな問題が生じている。その問題とは、ユーザが斜めから液晶表示装置（詳説すると液晶表示パネル）をみた場合に、液晶表示装置内部の部材がみえてしまうという問題である。
【０００５】
例えば、図８に示す液晶表示装置１８９の断面図に示すように、ユーザが斜めから液晶表示装置１８９をみると（斜視すると）、ベゼル１５１で隠れるはずのバックライトユニット１２１内部の縁、特にバックライトユニット１２１に搭載される拡散シート１２５の縁がみえてしまう（なお、図８では、ｅｙｅはユーザの目を示し、白色矢印はユーザの視線の先を示す）。
【０００６】
これは、ベゼル１５１の表面の面積が狭くなることが第１の原因である。また、第２の原因としては、拡散シート１２５から液晶表示パネル１１１に至るまでの間隔が短くなることにある。
【０００７】
液晶表示パネル１１１は、通常、ベゼル１５１とバックライトユニット１２１の一部材（例えば、内蔵シャーシ１４１、ひいてはバックライトシャーシ１３１）とによって挟み込まれることで保持される。しかし、ベゼル１５１の表面の面積が縮小してしまうと、液晶表示パネル１１１に対する押圧力は弱まる。そして、このようになってしまうと、液晶表示パネル１１１はバックライトユニット１２１に向かって撓むことがある。
【０００８】
液晶表示パネル１１１が撓んでしまうと、その液晶表示パネル１１１はバックライトユニット１２１の部材に接触しかねない。そこで、狭額縁化を図られた液晶表示装置１８９では、液晶表示パネル１１１とバックライトユニット１２１との間隔Ｖが比較的広い。すると、斜視の場合、液晶表示装置１８９の内部が一層みえやすくなり、拡散シート１２５等の光の通過する部材が目立つことになる。そして、このように拡散シート１２５がみえてしまうことは、液晶表示パネル１１１としての画質低下といえる。
【０００９】
本発明は、上記の状況を鑑みてなされたものである。そして、本発明の目的は、液晶表示装置に搭載した場合に、拡散シート等の光学シートが斜視にてみえないようにしたバックライトユニット等を提供することにある。
【課題を解決するための手段】
【００１０】
バックライトユニットは、光を発する光源と、その光源からの光を受けるとともに出射させるシートで、少なくともそのシートにおける受光面の端を、黒色にしている光学シートと、その光学シートの縁を支える第１支持体と、その第１支持体とで、光学シートの縁を挟み込む黒色の第２支持体と、を含む。
【００１１】
例えば、このバックライトユニットが液晶表示パネルとともに液晶表示装置に搭載されており、ユーザが液晶表示パネルを斜め方向からみた場合（斜視の場合）、光学シートの端、特に受光面の端（エッジ）は、光の屈折上、光学シートにおける側面と受光面との間で浮き上がるようにみえる。しかしながら、この光学シートの受光面の端が黒色であると、その部分は黒色の第２支持体に同化し、斜視にて視認されにくくなる。
【００１２】
また、別例のバックライトユニットは、光を発する光源と、その光源からの光を受けるとともに出射させるシートで、そのシートの縁の一部に曲面を含ませることで、先細った縁になる光学シートと、その光学シートの縁を支える第１支持体と、を含む。
【００１３】
このようになっていると、光学シートの縁においてエッジの部分が減少する。すなわち、斜視の場合に、目立つ部分が少なくなる。
【００１４】
また、バックライトユニットは、光を発する光源と、その光源からの光を受けるとともに出射させるシートで、そのシートの縁の一部に曲面を含ませることで、先細った縁になるとともに、少なくともそのシートにおける受光面の端を黒色にしている光学シートと、その光学シートの縁を支える第１支持体と、その第１支持体とで、光学シートの縁を挟み込む黒色の第２支持体と、を含んでもよい。
【００１５】
このようになっていると、斜視の場合に目立つ部分が少ないだけでなく、その少ない部分は黒色の第２支持体と同化するので、より効果的に光学シートの端が目立たない。
【００１６】
なお、光学シートの出射面の端が黒色であってもよいし、受光面の端から出射面の端に至るまでの光学シートの側面が黒色であってもよい。
【００１７】
また、拡散シートの一部を黒色にする仕方は特に限定されるもではない。例えば、塗装によって、光学シートの黒色の部分が形成されてもよいし、化学処理、または黒色のシールが貼り付けられてもよい。
【００１８】
ところで、光学シートの縁が先細る一例としては、光学シートの側面が曲面になることが挙げられる。特に、このような曲面では、曲率中心が、曲面自身を境に光学シート側に位置する。
【００１９】
このような光学シートの例は幾つかある。例えば、光学シートを境に、その光学シートの受光面の位置する側を受光側とすると、受光面の端が、光学シートの出射面における端の内側に位置することで、光学シートにおける曲面の側面が、受光側に向いて傾いている例が挙げられる。
【００２０】
また、光学シートを境に、その光学シートの出射面の位置する側を出射側とすると、出射面の端が、光学シートの受光面における端の内側に位置することで、光学シートにおける曲面の側面が、出射側に向いて傾く例が挙げられる。
【００２１】
さらなる別例としては、光学シートにおける側面と受光面との繋ぎ目、および、光学シートにおける側面と出射面との繋ぎ目、の少なくとも一方が、曲面になることで、光学シートの縁は先細り、その曲面における曲率中心が、曲面を境に光学シート側に位置する例が挙げられる。
【００２２】
ところで、第１支持体は、光源を収容するバックライトシャーシ、および光源を支える光源ホルダの少なくとも一方であると望ましい。そして、そのバックライトシャーシとで、光学シートの縁を挟み込む内蔵シャーシが、第２支持体であるとさらに望ましい。
【００２３】
あるいは、光学シートの縁にて対向している第１縁部分は、第１支持体である光源を収容するバックライトシャーシにて支えられ、第１縁部分以外の光学シートの第２縁部分は、第１支持体である光源を支える光源ホルダにて支えられていると望ましい。そして、そのバックライトシャーシとで、光学シートの縁を挟み込む内蔵シャーシが、第２支持体であるとさらに望ましい。
【００２４】
なお、以上のバックライトユニットと、そのバックライトユニットからの出射光を受光するために、光学シートを覆うように位置する液晶表示パネルと、を含む液晶表示装置も本発明といえる。
【００２５】
また、このような液晶表示装置では、液晶表示パネルの縁には、黒色の遮光マスクパターンが含まれていると望ましい。
【００２６】
このようになっていると、光学シートの黒色の部分は、黒色の第２支持体に同化するだけではなく、黒い色の遮光マスクパターンとも同化し、一層斜視にて目立たなくなる。
【発明の効果】
【００２７】
本発明によれば、バックライトユニット（ひいては液晶表示装置）の内部における光学シートが、斜視の場合に目立たない。
【発明を実施するための最良の形態】
【００２８】
［実施の形態１］
本発明の実施の一形態について、図面に基づいて説明すれば、以下の通りである。なお、便宜上、ハッチング、部材符号等を省略する場合もあるが、かかる場合、他の図面を参照するものとする。また、図面上での黒丸は紙面に対し垂直方向を意味する。
【００２９】
図７は、液晶表示装置の分解斜視図である。そして、図１は図７に示される液晶表示装置のＡ−Ａ’線矢視断面図であり、図２はＢ−Ｂ’線矢視断面図である。これらの図に示すように、液晶表示装置８９は、液晶表示パネル１１と、バックライトユニット２１と、ベゼル５１を含んでいる。
【００３０】
液晶表示パネル１１は、ＴＦＴ（Thin Film Transistor）等のスイッチング素子を含むアクティブマトリックス基板１２と、このアクティブマトリックス基板１２に対向する対向基板１３とをシール材（不図示）で貼り合わせている。そして、両基板１２・１３の隙間に液晶（不図示）が注入される。
【００３１】
この液晶表示パネル１１は非発光型の表示パネルなので、バックライトユニット２１を覆うように位置し、そのバックライトユニット２１からの光（バックライト光）を受光することで表示機能を発揮する。そのため、バックライトユニット２１からの光が液晶表示パネル１１の全面を均一に照射できれば、液晶表示パネル１１の表示品位が向上することになる。
【００３２】
なお、図１に示すように、画素の駆動制御用のドライバー（ソースドライバー）１４を含め種々の素子や配線を設けているフィルム（System On Film）１５が、アクティブマトリックス基板１２につながっている。したがって、画素の駆動制御に使用される電気信号は、フィルム１５と制御基板１６とを介していることになる。また、コントラスト向上のために、液晶表示パネル１１の縁の付近では、ブラックマスクＢＭのパターン（遮光マスクパターン）がアクティブマトリックス基板１２と対向基板１３との間に介在する。
【００３３】
バックライトユニット２１は、バックライト光を生成するために、蛍光管（光源）２２ランプホルダ２３、バックライトシャーシ３１、反射シート２４、拡散シート２５、レンズシート２６、内蔵シャーシ４１を含んでいる。
【００３４】
蛍光管（線状光源）２２は、線状（棒状、円柱状等）になっており、バックライトユニット２１内に複数本で搭載される（ただし、便宜上、図面では一部の本数のみが示されている）。
【００３５】
ランプホルダ（第１支持体、光源ホルダ）２３は、２個１組のブロック状部材であり、蛍光管２２を保持する。詳説すると、各ランプホルダ２３が、蛍光管２２の一端と他端とを支えることで、蛍光管２２をバックライトユニット２１に搭載させる。また、より安定的に蛍光管２２をバックライトユニット２１に搭載させるべく、蛍光管２２を把持するランプクリップ（不図示）が含まれていてもよい。
【００３６】
なお、蛍光管１１の種類は限定されることはなく、例えば、冷陰極管や熱陰極管であってもよい。また、以降では、蛍光管２２の並列方向（蛍光管２２が直線状に並ぶ方向）をＸ方向、蛍光管２２の延び方向をＹ方向、Ｘ方向およびＹ方向の両方向に垂直な方向をＺ方向と称する。
【００３７】
バックライトシャーシ（第１支持体）３１は、対向する壁（対向壁）３２・３２を有する収容体３３と、対向壁３２・３２の先端から収容体３３の底面３４の面内方向と平行で、かつ底面３４離れるように延び出た鍔片３５・３５と、を含む。そして、このバックライトシャーシ３１の収容体３３が、蛍光管２２等の種々部材を収容する。
【００３８】
反射シート（光学シート）２４は、収容体３３の底面３４を覆うとともに、鍔片３５・３５にまで到達する反射部材である。そして、この反射シート２４は、収容体３３内に位置する蛍光管２２の光を反射させる。詳説すると、反射シート２４は、蛍光管２２から出射される放射状の光（蛍光管２２を中心とした放射状の光）の一部を反射させ、収容体３３の開放面に導く。
【００３９】
なお、図１に示すように、バックライトシャーシ３１の鍔片３５から底面３４に至るまでの対向壁３２は、底面３４から離れるように倒れ込み、傾斜している。このようになっていると、対向壁３２を覆う反射シート２４が傾くようになり、蛍光管２２からの光を効率よく液晶表示パネル１１に導けるためである。
【００４０】
また、バックライトシャーシ３１の構成部材自体が、反射機能を有する樹脂または金属等で構成されていてもよい。このようになっていると、反射シート２４を除くことができるためである。
【００４１】
拡散シート（光学シート）２５は、光を散乱させる機能および拡散させる機能を有するポリエチレンテレフタレート等の樹脂で形成された部材である。そして、この拡散シート２５は、対向する縁の一部分（第１縁部分１ＡＲ）をバックライトシャーシ３１の鍔片３５・３５に支持させ、残りの対向する縁の部分（第２縁部分２ＡＲ）をランプホルダ２３の天面２３ｕに支持させる（なお、天面２３ｕとは、ランプホルダ２３にて、液晶表示パネル１１側に向く一面のことである）。
【００４２】
つまり、ランプホルダ２３・２３が、対向壁３２・３２の位置しない底面３４の縁に位置することで、それらランプホルダ２３・２３と対向壁３２・３２とが枠状に配置する。そのため、拡散シート２５の縁は、枠状配置のランプホルダ２３・２３および対向壁３２・３２にて支えられる。
【００４３】
すると、拡散シート２５は、並列する蛍光管２２を覆うように位置する。その結果、この拡散シート２５に、蛍光管２２から進行してきた光が入射すると、その光は散乱および拡散し、面内方向にいきわたる。なお、拡散シート２５にて、蛍光管２２からの光を受ける面を受光面２５ｉ、受光面２５ｉから屈折進行してくる光を出射させる面を出射面２５ｏ、受光面２５ｉと出射面２５ｏとに挟まれる面を側面２５ｓとする。
【００４４】
レンズシート（光学シート）２６は、例えばシート面内にレンズ形状を有し、光の放射特性を偏向させる（集光させる）シートであり、拡散シート２５を覆うように位置する。そのため、レンズシート２６において対向する縁は、拡散シート２５を支える鍔片３５・３５とランプホルダ２３・２３の天面２３ｕ・２３ｕにて支えられる。そして、このレンズシート２６に、拡散シート２５から進行してきた光が入射すると、その光は集光し、単位面積あたりの発光輝度を向上させる。
【００４５】
内蔵シャーシ（第２支持体）４１は、液晶表示パネル１１を支えるとともに、拡散シート２５およびレンズシート２６を押さえる枠状で黒色の部材であり、支持片４２と裾片４３とを含む。
【００４６】
支持片４２は、バックライトシャーシ３１の鍔片３５およびランプホルダ２３の天面２３ｕに支えられる拡散シート２５の縁およびレンズシート２６の縁を覆うとともに、その覆う面の反対（表面）で、液晶表示パネル１１の縁を支える。一方、裾片４３は、支持片４２の外縁から垂れ下がり、バックライトシャーシ３１における収容体３３の対向壁３２を囲む。
【００４７】
ベゼル５１は、液晶表示装置８９としての外装で、内蔵シャーシ４１上に位置する液晶表示パネル１１を挟み込む部材であり、挟持片５２と囲み壁片５３とを含む。
【００４８】
挟持片５２は、内蔵シャーシ４１の支持片４２とで液晶表示パネル１１の縁を挟む。一方、囲み壁片５３は、挟持片５２の外縁から垂れ下がり、内蔵シャーシ４１の裾片４３の外側面を囲む。
【００４９】
そして、以上のようなバックライトユニット２１では、並列する蛍光管２２が、インバータ（不図示）から供給される交流信号によって光を発する。かかる光は、直接、拡散シート２５に到達する、もしくは、反射シート２４にて反射した後に拡散シート２５に到達する。さらに、拡散シート２５に到達した光は、拡散されつつレンズシート２６を通過することで発光輝度を高めたバックライト光になって出射する。そして、このバックライト光は、液晶表示パネル１１に到達し、液晶表示パネル１１は画像を表示させる。
【００５０】
ここで、拡散シート２５について詳説する。図１および図２に示すように、拡散シート２５の側面２５ｓ付近は黒色ＢＫである。詳説すると、側面２５ｓと、側面２５ｓの下端（側面２５ｓにて蛍光管２２側に近い側の端；すなわち受光面２５ｉの端）Ｐから受光面２５ｉに延び出た一部分とが、黒色ＢＫである。
【００５１】
このように黒色ＢＫであると、図１および図２に示すように（ＥＹＥはユーザの目を示し、白色矢印はユーザの視線の先を示す）、ユーザが液晶表示装置８９を斜めからみた場合（斜視の場合）、拡散シート２５の側面２５ｓが目立たない。その理由は以下の通りである。
【００５２】
通常、斜視の場合、受光面２５ｉの端Ｐ（側面２５ｓの下端Ｐ）は、光の屈折上、側面２５ｓと受光面２５ｉとの間で浮き上がるようにみえる。しかしながら、この受光面２５ｉの端が黒色ＢＫであると、その黒色ＢＫの部分は黒色の内蔵シャーシ４１に同化して（同じようにみえて）、ユーザに視認されにくい。その上、斜視の場合には、液晶表示パネル１１の縁に位置するブラックマスクＢＭパターンがみえるので、ますます、拡散シート２５の受光面２５ｉの端Ｐ（受光面２５ｉの縁）は目立たない。
【００５３】
なお、斜視の場合、拡散シート２５の側面２５ｓで最も目立つのは、エッジ（直角等）になった下端Ｐである。そのため、少なくとも、側面２５ｓの下端Ｐが黒くなっていればよい。ただし、拡散シートの側面２５ｓ付近、例えば、図１および図２に示すように、側面２５ｓの下端Ｐに加えて、側面２５ｓの全面、側面２５ｓの下端Ｐから受光面２５ｉに延び出た一部分までが黒くなっていると、それらの黒色部分ＢＫは確実に目立たなくなる。
【００５４】
また、この側面２５ｓの下端Ｐに加えて、側面２５ｓの全面、側面２５ｓの上端Ｑ（出射面２５ｏの縁）から出射面２５ｏに延び出た一部分までが黒くなっていてもよい（不図示）。このようになっていても、斜視の場合、側面２５ｓは目立たなくなる。
【００５５】
なお、拡散シート２５の一部分を黒色にする方法は多々存在する。例えば、黒色塗装、こげ付かせるような化学処理、および、黒色シールの貼り付けが挙げられる。また、黒色は光吸収可能な一例にすぎないので、他色であってもかまわない。要は同化可能であればよい。
【００５６】
［実施の形態２］
実施の形態２について説明する。なお、実施の形態１で用いた部材と同様の機能を有する部材については同一の符号を付記し、その説明を省略する。
【００５７】
実施の形態１では、拡散シート２５の縁、詳説すると、少なくとも拡散シート２５の受光面２５ｉの端が黒色ＢＫになることで、その拡散シート２５の側面２５ｓ（少なくとも下端Ｐ）が、斜視の場合に目立たなくなった。しかし、拡散シート２５の側面２５ｓを目立たなくするには、その部分が黒色ＢＫであることが必須というわけではない。
【００５８】
例えば、図３Ａの部分拡大図に示すように、拡散シート２５の縁が一部に曲面を含ませることで、先細った縁になっていてもよい。詳説すると、拡散シート２５の側面２５ｓが曲面になることで、その拡散シート２５の縁が先細る。ただし、その曲面における曲率中心は、曲面（側面２５ｓ）を境に拡散シート２５側に位置する。
【００５９】
特に、図３Ａのように、拡散シート２５にて、受光面２５ｉの端Ｐが出射面２５ｏの端Ｑの内側に位置することで、曲面の側面２５ｓが受光側（拡散シート２５を境に、受光面２５ｉの位置する側）に向いて傾くと望ましい。
【００６０】
このように側面２５ｓが俯くように傾いていると、拡散シート２５内での側面２５ｓと受光面２５ｉとの角度（δ）は、直角ではなく鈍角になり、エッジの度合いが下がる。そのため、斜視の場合に、側面２５ｓの下端Ｐは目立たなくなる。
【００６１】
なお、図３Ｂに示すように、拡散シート２５にて、出射面２５ｏの端Ｑ（側面２５ｓの上端Ｑ）が受光面２５ｉの端Ｐの内側に位置することで、曲面の側面２５ｓが、出射側（拡散シート２５を境に、出射面２５ｏの位置する側）に向いて傾斜していてもよい。
【００６２】
このように側面２５ｓが仰ぐように傾斜していると、側面２５ｓの下端Ｐはエッジではあるものの、拡散シート２５内での側面２５ｓと出射面２５ｏとの角度（θ）は、直角ではなく鈍角になる。
【００６３】
このようになっていると、側面２５ｓの下端Ｐのみえる前に、なだらかな曲面である側面２５ｓが視認されることで、側面２５ｓの下端Ｐが目立たなくなる。あるいは、曲面の側面２５ｓに起因して複雑に反射する光（側面２５ｓ付近を行き交う光）が視認されることで、側面２５ｓの下端Ｐが目立たなくなる。
【００６４】
また、図３Ｃに示すように、側面２５ｓが、受光側に向いて傾く部分と、出射側に向いて傾く部分とを含む曲面であってもよい。詳説すると、側面２５ｓが、拡散シート２５の厚み半分程度の位置から受光側に向く曲面と出射側に向く曲面とを含んでいてもよい（すなわち、側面２５ｓが平面を全く含まない曲面で、拡散シート２５の厚み半分程度の位置を頂として先細っていると望ましい）。
【００６５】
このようになっていると、側面２５ｓの下端Ｐおよび上端Ｑがともに、エッジではなくなだらかな曲面になる。したがって、斜視の場合に、側面２５ｓの下端Ｐ、さらには側面２５ｓも確実に目立たない。
【００６６】
なお、以上では、拡散シート２５の側面２５ｓは、図３Ａ〜図３Ｃに示すように、全く平面を含まない曲面であった。しかし、側面２５ｓは、平面を含む曲面であってもよい。
【００６７】
例えば、図４Ａに示すように、拡散シート２５における受光面２５ｉの縁、詳説すると、拡散シート２５における側面２５ｓと受光面２５ｉとの繋ぎ目だけが曲面（Ｒ形状）になっているだけでもよい（ただし、その曲面における曲率中心が、曲面を境に拡散シート２５側に位置する）。
【００６８】
このようになっていると、拡散シート２５における側面２５ｓの下端（繋ぎ目）Ｐのみが、局所的に曲面になる。つまり、斜視の場合に最も目立つ部分自体が、エッジではなく、曲面になる。したがって、拡散シート２５の受光面２５ｉの端Ｐは目立たない。
【００６９】
また、図４Ｂに示すように、拡散シート２５における出射面２５ｏの縁、詳説すると、拡散シート２５における側面２５ｓと出射面２５ｏとの繋ぎ目が曲面（Ｒ形状）になっているだけでもよい（ただし、その曲面における曲率中心は、側面２５ｓと受光面２５ｉとの繋ぎ目同様に、曲面を境に拡散シート２５側に位置する）。
【００７０】
このようになっていると、拡散シート２５における側面２５ｓの上端（繋ぎ目）Ｑのみが、局所的に曲面になる。そして、この側面２５ｓの上端Ｑ付近にて、曲面に起因して光が複雑に行き交い、その光が視認されることで、側面２５ｓの下端Ｐが目立たなくなる。
【００７１】
なお、図４Ｃに示すように、拡散シート２５における受光面２５ｉの縁および出射面２５ｏの縁、すなわち側面２５ｓの下端Ｐおよび上端Ｑが曲面になっていてもよい。このようになっていると、側面２５ｓの下端Ｐが曲面になることで目立たくなる上に、側面２５ｓの上端Ｑ付近に起因した行き交う光によって、確実に側面２５ｓの下端Ｐは目立たなくなる。
【００７２】
［その他の実施の形態］
なお、本発明は上記の実施の形態に限定されず、本発明の趣旨を逸脱しない範囲で、種々の変更が可能である。
【００７３】
例えば、実施の形態１にて説明したように、少なくとも拡散シート２５における受光面２５ｉの端Ｐを黒色ＢＫにすることと、実施の形態２にて説明したように、拡散シート２５の縁を先細らせることとを併用してもよい。すなわち、拡散シート２５の縁が先細るととともに、少なくともその拡散シート２５における受光面２５ｉの端Ｐが黒色ＢＫになっていてもよい。
【００７４】
例えば、図５Ａに示すように、拡散シート２５にて、受光面２５ｉの端Ｐが出射面２５ｏの端Ｑの内側に位置することで、曲面の側面２５ｓが受光側に向き、さらに、その曲面の側面２５ｓが黒色ＢＫになっていてもよい。
【００７５】
このようになっていると、側面２５ｓの下端Ｐでのエッジの度合いが下がるとともに、その下端Ｐを含む側面２５ｓが内蔵シャーシ４１に同化する。そのため、斜視の場合に、側面２５ｓの下端Ｐは、自身の形状と黒色ＢＫとで確実に目立たなくなる。
【００７６】
また、図５Ｂに示すように、拡散シート２５にて、出射面２５ｏの端Ｑが受光面の端Ｐの内側に位置することで、曲面の側面２５ｓが出射側に向き、さらに、その曲面の側面２５ｓが黒色ＢＫになっていてもよい。
【００７７】
このようになっていると、側面２５ｓの下端Ｐのみえる前に、なだらかな曲面である黒色ＢＫの側面２５ｓが、内蔵シャーシ４１に同化するので、側面２５ｓの下端Ｐが目立たなくなる。
【００７８】
また、図５Ｃに示すように、拡散シート２５にて、側面２５ｓが、黒色ＢＫの受光側に向いて傾く部分と、同じく黒色ＢＫの出射側に向いて傾く部分とを含む曲面であってもよい。要は、拡散シート２５の縁が、先細るとともに黒色ＢＫであってもよい。
【００７９】
このようになっていると、側面２５ｓの下端Ｐおよび上端Ｑがともに、エッジではなくなだらかな黒色ＢＫの曲面になる。つまり、側面２５ｓ全体が、丸みを帯びた黒色となる。そのため、側面２５ｓは、自身の形状と黒色ＢＫとで、斜視の場合に、確実に目立たなくなる。
【００８０】
なお、以上の図５Ａ〜５Ｃにおいては、黒色ＢＫの部分は、曲面である側面２５ｓの全部（受光面２５ｉの端から出射面２５ｏの端に至るまで）であったが、これに限定されるものではない。要は、拡散シート２５の側面２５ｓの一部、詳説すると拡散シート２５における受光面２５ｉの端Ｐが黒色ＢＫであればよい。
【００８１】
また、側面２５ｓは、平面を含む曲面であり、かつ黒色ＢＫの部分も含んでいてもよい。例えば、図６Ａに示すように、拡散シート２５における側面２５ｓと受光面２５ｉとの繋ぎ目が黒色ＢＫの曲面（Ｒ形状）になっているだけでもよい。
【００８２】
このようになっていると、斜視の場合に最も目立つ側面２５ｓの下端Ｐが、黒色ＢＫの曲面になる。したがって、拡散シート２５の受光面２５ｉの端Ｐは確実に目立たない。
【００８３】
また、図６Ｂに示すように、拡散シート２５にて、側面２５ｓ、受光面２５ｉの縁（側面２５ｓの下端Ｐ）、および出射面２５ｏの縁（側面２５ｓの上端Ｑ）が黒色ＢＫであり、側面２５ｓと出射面２５ｏとの繋ぎ目（上端Ｑ）が曲面になっていてもよい。
【００８４】
このようになっていると、受光面２５ｉの端Ｐが黒色ＢＫであるので、その黒色ＢＫの部分は内蔵シャーシ４１に同化して、斜視にて視認されにくくなる。その上、側面２５ｓ全部（側面２５ｓの下端Ｐおよび上端Ｑ）が黒色ＢＫになっているため、側面２５ｓまでも斜視にて視認されにくい。また、この側面２５ｓの上端Ｑ付近の黒色ＢＫにて、吸収されなかった光は、曲面に起因して複雑に行き交う。そのため、その光が視認されることで、側面２５ｓの下端Ｐが、一層目立たなくなる。
【００８５】
また、図６Ｃに示すように、拡散シート２５における受光面２５ｉの縁および出射面２５ｏの縁が黒色ＢＫの曲面になっていてもよい。このようになっていると、側面２５ｓの下端Ｐが黒色ＢＫの曲面になることで目立たくなる上に、黒色の内蔵シャーシ４１に同化する。その上、側面２５ｓの上端Ｑまでも黒色ＢＫなので、その部分までも内蔵シャーシ４１に同化する。また、この側面２５ｓの上端Ｑ付近の黒色ＢＫにて、吸収されなかった光は、曲面に起因して複雑に行き交い、側面２５ｓの下端Ｐをみえにくくする。したがって、確実に側面２５ｓの下端Ｐが目立たなくなる。
【００８６】
なお、以上の図６Ａ〜６Ｃにおいては、黒色ＢＫの部分は、側面２５ｓの下端Ｐには必要であるが、それ以外の箇所は必須とはいえない。したがって、側面２５ｓの全部が黒色ＢＫであってもよいし、図６Ｂの側面２５ｓの上端Ｑが黒色以外になっていてもよい。また、図６Ｃの出射面２５ｏの縁が黒色ＢＫ以外の色で曲面になっていてもよい。要は、拡散シート２５の受光面２５ｉの縁が黒色ＢＫになっていればよい。
【００８７】
また、図５Ａ〜図５Ｃおよび図６Ａ〜図６Ｃに示す黒色ＢＫの部分は、上述したように、内蔵シャーシ４１が黒色であると、黒色ＢＫの部分と内蔵シャーシ４１とが同化して、ユーザに一層視認されにくい。もちろん、斜視の場合に、液晶表示パネル１１の縁に位置するブラックマスクＢＭのパターンがみえれば、ますます、拡散シート２５の受光面２５ｉの端Ｐは目立たない。
【００８８】
なお、以上では、拡散シート２５を例に挙げて説明してきたが、黒色ＢＫの部分や曲面の部分は拡散シート２５以外に存在してもよい。例えば、レンズシート２６の縁や反射シート２４の縁にあってもよい。
【００８９】
最後に、上記で開示された技術を適宜組み合わせて得られる実施形態についても、本発明の技術的範囲に含まれることはいうまでもない。
【図面の簡単な説明】
【００９０】
【図１】は、図７に示される液晶表示装置のＡ−Ａ’線矢視断面図である。
【図２】は、図７に示される液晶表示装置のＢ−Ｂ’線矢視断面図である。
【図３】では、（Ａ）は拡散シートの側面が受光側に向いて傾いた状態を示す部分拡大図であり、（Ｂ）は拡散シートの側面が出射側に向いて傾いた状態を示す部分拡大図であり、（Ｃ）は拡散シートの側面の一部分が受光側に向いて傾き、残りの部分が出射側に向いて傾いた状態を示す部分拡大図である。
【図４】では、（Ａ）は拡散シートの受光面の端が曲面であることを示す部分拡大図であり、（Ｂ）は拡散シートの出射面の端が曲面であることを示す部分拡大図であり、（Ｃ）は拡散シートの受光面および出射面の端が曲面であることを示す部分拡大図である。
【図５】では、（Ａ）は拡散シートの黒色の側面が受光側に向いて傾いた状態を示す部分拡大図であり、（Ｂ）は拡散シートの黒白の側面が出射側に向いて傾いた状態を示す部分拡大図であり、（Ｃ）は拡散シートの黒色の側面の一部分が受光側に向いて傾き、残りの黒色の部分が出射側に向いて傾いた状態を示す部分拡大図である。
【図６】では、（Ａ）は拡散シートの受光面の端が黒色の曲面であることを示す部分拡大図であり、（Ｂ）は拡散シートの出射面の端が黒色の曲面であることを示す部分拡大図であり、（Ｃ）は拡散シートの受光面および出射面の端が黒色の曲面であることを示す部分拡大図である。
【図７】は、液晶表示装置の分解斜視図である。
【図８】は、従来の液晶表示装置の側面断面図である。
【符号の説明】
【００９１】
１１    液晶表示パネル
２１    バックライトユニット
２２    蛍光管（光源）
２３    ランプホルダ（第１支持体）
２３ｕ  ランプホルダの天面
２４    反射シート
２５    拡散シート（光学シート）
２５ｉ  拡散シートの受光面
Ｐ    拡散シートの受光面の端（拡散シートの縁、拡散シートの側面の下端）
２５ｏ  拡散シートの出射面
Ｑ    拡散シートの出射面の端（拡散シートの縁、拡散シートの側面の上端）
２５ｓ  拡散シートの側面
２６    光学シート（光学シート）
３１    バックライトシャーシ（第１支持体）
４１    内蔵シャーシ（第２支持体）
５１    ベゼル
８９    液晶表示装置
【図１】
2009094018.tif 000003
【図２】
2009094018.tif 000004
【図３】
2009094018.tif 000005
【図４】
2009094018.tif 000006
【図５】
2009094018.tif 000007
【図６】
2009094018.tif 000008
【図７】
2009094018.tif 000009
【図８】
2009094018.tif 000010